(57)【特許請求の範囲】
【請求項１】
無線通信機能を有する携帯情報端末を支持する支持部と、
前記携帯情報端末の端末側受発光部と対向させることにより、光通信による接続を可能とする装置側受発光部と、
前記装置側受発光部と前記端末側受発光部とを相対的に移動させることにより、前記端末側受発光部と前記装置側受発光部との間で光通信が可能となる位置を探索する探索部と、
前記探索部により探索された装置側受発光部の位置に対して前記端末側受発光部を対向配置させた状態で光通信を行い、外部装置と前記携帯情報端末との間の通信を中継する中継部と、を具備し、
前記探索部は、前記携帯情報端末を構成する複数の面のうち、前記端末側受発光部を有すると推定される所定面に沿って装置側受発光部を移動させる装置側受発光部移動機構を有し、
前記所定面が複数ある場合に、前記装置側受発光部移動機構を、前記所定面毎に対向させて設けた
ことを特徴とする光通信用中継装置。
【請求項２】
請求項１記載の光通信用中継装置において、
前記装置側受発光部移動機構は、前記所定面にほぼ平行な面において直交する２軸のうち、少なくとも一方の軸方向に前記装置側受発光部を移動させる
ことを特徴とする光通信用中継装置。
【請求項３】
請求項１に記載の光通信用中継装置において、
前記装置側受発光部と前記端末側受発光部との間で光通信が可能となった場合に、前記装置側受発光部移動機構を停止させ、対向配置を保持させる制御部を備えた
ことを特徴とする光通信用中継装置。
【請求項４】
無線通信機能を有する携帯情報端末を支持する支持部と、
前記携帯情報端末の端末側受発光部と対向させることにより、光通信による接続を可能とする装置側受発光部と、
前記装置側受発光部と前記端末側受発光部とを相対的に移動させることにより、前記端末側受発光部と前記装置側受発光部との間で光通信が可能となる位置を探索する探索部と、
前記探索部により探索された装置側受発光部の位置に対して前記端末側受発光部を対向配置させた状態で光通信を行い、外部装置と前記携帯情報端末との間の通信を中継する中継部と、を具備し、
前記探索部は、前記携帯情報端末を回転軸を中心として回転させ、当該携帯情報端末の前記端末側受発光部を有すると推定される所定面を、前記装置側受発光部に順次対向させる回転機構と、
前記携帯情報端末を構成する複数の面のうち、前記所定面に沿って装置側受発光部を移動させる装置側受発光部移動機構と、を有する
ことを特徴とする光通信用中継装置。
【請求項５】
請求項４記載の光通信用中継装置において、
前記装置側受発光部移動機構は、前記所定面にほぼ平行な面において直交する２軸のうち、少なくとも一方の軸方向に前記装置側受発光部を移動させる
ことを特徴とする光通信用中継装置。
【請求項６】
請求項４に記載の光通信用中継装置において、
前記装置側受発光部と前記端末側受発光部との間で光通信が可能となった場合に、前記装置側受発光部移動機構を停止させ、対向配置を保持させる制御部を備えた
ことを特徴とする光通信用中継装置。
【請求項７】
無線通信機能を有する携帯情報端末を支持する支持部と、
前記携帯情報端末の端末側受発光部と対向させることにより、光通信による接続を可能とする装置側受発光部と、
前記装置側受発光部と前記端末側受発光部とを相対的に移動させることにより、前記端末側受発光部と前記装置側受発光部との間で光通信が可能となる位置を探索する探索部と、
前記探索部により探索された装置側受発光部の位置に対して前記端末側受発光部を対向配置させた状態で光通信を行い、外部装置と前記携帯情報端末との間の通信を中継する中継部と、を具備し、
前記探索部は、前記支持部に設けられ、前記携帯情報端末を所定軸に沿って順次移動させる端末移動機構と、
前記支持部に設けられ、前記携帯情報端末を回転軸を中心として回転させ、前記装置側受発光部に前記端末側受発光部を有すると推定される所定面を順次対向させる回転機構と、
前記回転機構によって前記装置側受発光部に対向している所定面に対し、前記回転軸にほぼ平行な面上において前記装置側受発光部を移動させる装置側受発光部移動機構と、を具備した
ことを特徴とする光通信用中継装置。
【請求項８】
請求項７記載の光通信用中継装置において、
前記装置側受発光部および前記端末側受発光部を介して光通信が可能となった場合に、前記回転機構、前記端末移動機構および装置側受発光部移動機構を停止させ、対向位置を保持させる制御部を備えた
ことを特徴とする光通信用中継装置。
【請求項９】
無線通信機能を有する携帯情報端末を支持する支持部と、
前記携帯情報端末の端末側受発光部と対向させることにより、光通信による接続を可能とする装置側受発光部と、
前記端末側受発光部と前記装置側受発光部との間で光通信が可能となる位置を探索する探索部と、
前記探索部により探索された装置側受発光部の位置に対向した前記端末側受発光部を用いて光通信を行い、外部装置と前記携帯情報端末との間の通信を中継する中継部と、を具備し、
前記探索部は、前記携帯情報端末を所定軸に沿って順次移動させる端末移動機構と、
前記所定軸を取り囲むように複数個の前記装置側受発光部を配置し、前記装置側受発光部を順次駆動させる装置側受発光部駆動回路と、
前記端末移動機構によって前記携帯情報端末を所定軸方向に一定距離を移動させる毎に、前記装置側受発光部駆動回路によって前記携帯情報端末を取り囲む装置側受発光部を駆動させ、前記装置側受発光部および前記端末側受発光部を介して光通信が可能となった場合に、前記端末移動機構による前記携帯情報端末の所定軸方向への移動を停止させると共に、前記装置側受発光部駆動回路によって駆動されている装置側受発光部を前記端末側受発光部に対向配置して光通信を行う装置側受発光部とする制御部と、を備えた
ことを特徴とする光通信用中継装置。
【請求項１０】
請求項９記載の光通信用中継装置において、
前記各装置側受発光部は、前記携帯情報端末を構成する複数の面のうち、前記端末側受発光部を有すると推定される所定面に対してほぼ平行に離間してアレイ状に配置され、当該各装置側受発光部は、前記装置側受発光部駆動回路によって順次駆動される
ことを特徴とする光通信用中継装置。
【請求項１１】
請求項９記載の光通信用中継装置において、
前記各装置側受発光部は、所定軸にほぼ平行な面上に配置され、前記探索部は、前記所定面が複数ある場合に、前記携帯情報端末を回転軸を中心として回転させ、前記装置側受発光部に前記携帯情報端末の前記所定面を順次対向させる回転機構を備えた
ことを特徴とする光通信用中継装置。
【請求項１２】
請求項１〜１１のいずれかに記載の光通信用中継装置において、
前記受発光部は、第１の所定方向に向けて光を照射する発光部と、第２の所定方向からの光を受光する受光部と、を備えた
ことを特徴とする光通信用中継装置。
【請求項１３】
請求項１，４，７または９記載の光通信用中継装置において、
前記支持部は、前記携帯情報端末の大きさに対応させて前記携帯情報端末を支持する調整部を備えた
ことを特徴とする光通信用中継装置。
【請求項１４】
請求項１３記載の光通信用中継装置において、
前記支持部は、前記携帯情報端末の幅方向で支持しつつ搬送する複数の搬送ローラを有し、前記調整部は、各搬送ローラの幅方向の距離を自動調整する機構を有する
ことを特徴とする光通信用中継装置。
【請求項１５】
請求項１４記載の光通信用中継装置において、
前記自動調整する機構は、前記各搬送ローラを少なくとも前記携帯情報端末の幅方向に移動可能に支持すると共に、各搬送ローラの幅方向の距離を縮めるように付勢するバネ部材である
ことを特徴とする光通信用中継装置。
【発明の詳細な説明】
【０００１】
【発明の属する技術分野】
本発明は、例えば赤外線等の光を用いた光通信を行うための受発光部を備えた携帯情報端末との間で光通信を行うことにより、携帯情報端末と外部装置との中継を行う光通信用中継装置に関する。
【０００２】
【従来の技術】
従来、携帯情報端末としては携帯電話があり、この携帯電話には、通常の通話や電子メール等を行う他に、外部装置（例えば、パーソナルコンピュータ：以下パソコンと呼ぶ）との間で赤外線を用いた光通信を行うための赤外線受発光部を備えたものがある。この赤外線受発光部は、携帯電話の外形をなす筐体のうち、通常操作部および表示ディスプレイが設けられている正面を除く４つの側面および背面の５つの面のうち、何れかの面に設けられているのが一般的である。
携帯電話とパソコンとの間における赤外線通信は、携帯電話側の赤外線受発光部とパソコン側の赤外線受発光部とを対向配置させた上で、互いに所定操作を行うことによって行われていた。一般に、赤外線通信を行うためには、対向する二つの受発光部間の距離を２０ｃｍ以内にする必要がある。
【０００３】
また、携帯電話と赤外線通信で接続するためのカーナビゲーションシステム或いはハンズフリーセット（車両に設けられた外部アンテナ、外部マイクロホン、外部スピーカ）等を有する自動車電話システムにあっては、システム側の赤外線受発光部がダッシュボード或いはセンタコンソールに配置されたものがある。このため、携帯電話の赤外線受発光部をカーナビゲーションシステム或いは自動車電話システムの赤外線受発光部に対向させるためには、携帯電話の機種毎に対応したホルダが必要になり、ユーザが対応したホルダを揃えなくてはならないという不具合が生じる。
【０００４】
そこで、特開平１０−２２６２８１号公報記載の技術（以下、従来技術という）のように、携帯電話を収容する収容ケースを備えた自動車電話システムが提案されている。この収容ケースは、中継装置として自動車のセンタコンソールに配置される。この収容ケースは、携帯電話を収納することにより、コネクタ接続をせずに、携帯電話とハンズフリーセットとを非接触状態で通信接続させるものである。
【０００５】
【発明が解決しようとする課題】
ところで、従来技術による自動車電話システムの収容ケースは、収容される携帯電話側の受発光部が予め決まった面に配置されていることを前提として非接触状態の通信を実現するものである。しかし、前述した如く、携帯電話に設けられる受発光部は、携帯電話の種類に応じて配置される位置が異なっている。このため、この収容ケースは、種々の携帯電話に対して適用することができない、という問題がある。
【０００６】
一方、携帯電話の形状には、ストレート型や折り畳み型があり、その形状が異なっている。このため、従来の光通信用中継装置は、携帯電話の形状および受発光部の配置される面の異なった携帯電話に兼用して使用することができないのが実情である。
【０００７】
本発明は、以上説明した事情に鑑なみてなされたものであり、携帯電話の形状および端末側受発光部の位置に拘わらず、装置側受発光部と端末側受発光部とを対向配置させ、通信可能な状態とすることのできる光通信用中継装置を提供することを目的としている。
【０００８】
【課題を解決するための手段】
上述した課題を解決するため、本発明に係る光通信用中継装置は、無線通信機能を有する携帯情報端末を支持する支持部と、前記携帯情報端末の端末側受発光部と対向させることにより、光通信による接続を可能とする装置側受発光部と、前記装置側受発光部と前記端末側受発光部とを相対的に移動させることにより、前記端末側受発光部と前記装置側受発光部との間で光通信が可能となる位置を探索する探索部と、前記探索部により探索された装置側受発光部の位置に対して前記端末側受発光部を対向配置させた状態で光通信を行い、外部装置と前記携帯情報端末との間の通信を中継する中継部と、を具備し、前記探索部は、前記携帯情報端末を構成する複数の面のうち、前記端末側受発光部を有すると推定される所定面に沿って装置側受発光部を移動させる装置側受発光部移動機構を有し、
前記所定面が複数ある場合に、前記装置側受発光部移動機構を、前記所定面毎に対向させて設けたことを特徴としている。
【０００９】
上記構成により、探査部が装置側受発光部と端末側受発光部とを相対的に移動させ、各受発光部が対向配置された場合に、中継部によって外部装置と前記携帯情報端末とで通信を中継する。
【００１０】
他の発明の態様は、無線通信機能を有する携帯情報端末を支持する支持部と、前記携帯情報端末の端末側受発光部と対向させることにより、光通信による接続を可能とする装置側受発光部と、前記装置側受発光部と前記端末側受発光部とを相対的に移動させることにより、前記端末側受発光部と前記装置側受発光部との間で光通信が可能となる位置を探索する探索部と、前記探索部により探索された装置側受発光部の位置に対して前記端末側受発光部を対向配置させた状態で光通信を行い、外部装置と前記携帯情報端末との間の通信を中継する中継部と、を具備し、前記探索部は、前記携帯情報端末を回転軸を中心として回転させ、当該携帯情報端末の前記端末側受発光部を有すると推定される所定面を、前記装置側受発光部に順次対向させる回転機構と、前記携帯情報端末を構成する複数の面のうち、前記所定面に沿って装置側受発光部を移動させる装置側受発光部移動機構と、を有することを特徴としている。
また、別の発明の態様は、無線通信機能を有する携帯情報端末を支持する支持部と、前記携帯情報端末の端末側受発光部と対向させることにより、光通信による接続を可能とする装置側受発光部と、前記装置側受発光部と前記端末側受発光部とを相対的に移動させることにより、前記端末側受発光部と前記装置側受発光部との間で光通信が可能となる位置を探索する探索部と、前記探索部により探索された装置側受発光部の位置に対して前記端末側受発光部を対向配置させた状態で光通信を行い、外部装置と前記携帯情報端末との間の通信を中継する中継部と、を具備し、前記探索部は、前記支持部に設けられ、前記携帯情報端末を所定軸に沿って順次移動させる端末移動機構と、前記支持部に設けられ、前記携帯情報端末を回転軸を中心として回転させ、前記装置側受発光部に前記端末側受発光部を有すると推定される所定面を順次対向させる回転機構と、前記回転機構によって前記装置側受発光部に対向している所定面に対し、前記回転軸にほぼ平行な面上において前記装置側受発光部を移動させる装置側受発光部移動機構と、を具備したことを特徴としている。
さらに、他の発明の態様は、無線通信機能を有する携帯情報端末を支持する支持部と、前記携帯情報端末の端末側受発光部と対向させることにより、光通信による接続を可能とする装置側受発光部と、前記端末側受発光部と前記装置側受発光部との間で光通信が可能となる位置を探索する探索部と、前記探索部により探索された装置側受発光部の位置に対向した前記端末側受発光部を用いて光通信を行い、外部装置と前記携帯情報端末との間の通信を中継する中継部と、を具備し、前記探索部は、前記携帯情報端末を所定軸に沿って順次移動させる端末移動機構と、前記所定軸を取り囲むように複数個の前記装置側受発光部を配置し、前記装置側受発光部を順次駆動させる装置側受発光部駆動回路と、前記端末移動機構によって前記携帯情報端末を所定軸方向に一定距離を移動させる毎に、前記装置側受発光部駆動回路によって前記携帯情報端末を取り囲む装置側受発光部を駆動させ、前記装置側受発光部および前記端末側受発光部を介して光通信が可能となった場合に、前記端末移動機構による前記携帯情報端末の所定軸方向への移動を停止させると共に、前記装置側受発光部駆動回路によって駆動されている装置側受発光部を前記端末側受発光部に対向配置して光通信を行う装置側受発光部とする制御部と、を備えたことを特徴としている。
【００１１】
上記構成により、探査部が装置側受発光部を順次駆動させ、端末側受発光部に対して対向配置される装置側受発光部が探索された場合に、中継部によって外部装置と前記携帯情報端末との間で通信を中継する。
【００１２】
【発明の実施の形態】
［Ａ．第１実施形態］
以下、本発明の第１実施形態に係る光通信用中継装置について説明する。本実施形態においては、この光通信用中継装置を、カーナビゲーションシステムを例示する。
図１は、カーナビゲーションシステムを示した全体構成図である。移動通信網１００には情報配信サーバ１０１０が接続され、移動通信網１０００には複数の基地局１００１（１個のみ図示）を介して携帯電話１００に接続される。一方、自動車（図示せず）に設けられたカーナビゲーション装置２００にはリード線を介して中継装置１が接続される。また、携帯電話１００と中継装置１とは赤外線通信によって接続される。
情報配信サーバ１０１０には地域毎の地図データが記憶される。本実施形態に適用されるカーナビゲーション装置２００は、情報配信サーバ１０１０との間に携帯電話１００を介してリンクを張ることにより、所望の地図データを読み出す仕組みになっている。
【００１３】
〈Ａ〉光通信用中継装置および携帯電話の概略構成
図２は本実施形態に係る光通信用中継装置の外観図を示した図である。
【００１４】
〈Ａ−１〉光通信用中継装置の外観
光通信用中継装置１（以下、中継装置１という）は、携帯電話１００が挿入方向Ａから挿入される挿入口２を有する筐体３と、筐体３内に設けられた搬送機構１１（図６、参照）と、装置側受発光部３１を移動させる装置側受発光部移動機構２１（図１０、参照）とを備えている。
【００１５】
筐体３の表面には、挿入スイッチ４と、取出しスイッチ５と、中継装置１の動作状態を報知する報知部６とが設けられている。
報知部６は、赤色のＬＥＤ６Ｒ、青色のＬＥＤ６Ｂ、緑色のＬＥＤ６Ｇからなり、例えば、赤色のＬＥＤ６Ｒが点灯しているときは、装置側受発光部が端末側受発光部を探索している状態、青色のＬＥＤ６Ｂが点灯しているときは、各受発光部が対向配置された状態、緑色のＬＥＤ６が点灯しているときは、携帯電話を取出子可能な状態となっていることをそれぞれ示すものである。なお、この報知部６のＬＥＤの点灯処理については省略するものとする。
また、挿入口２には、その上側が軸支された扉２Ａが設けられ、この扉２Ａは筐体３内への塵埃等の侵入を防止する。
例えば、中継装置１がカーナビゲーション装置２００と接続されて中継を行う場合には、筐体３は、その大きさが縦５６ｍｍ、横１７８ｍｍ、奥行き１２６ｍｍの１ＤＩＮサイズに形成され、自動車のセンタコンソールに配置されることになる。
【００１６】
〈Ａ−２〉携帯電話
中継装置１の個々の構成について説明する前に、光通信用中継装置１に収容される携帯電話（携帯情報端末）として、ストレート型の一般的な携帯電話の形状について、図３および図４を参照しつつ説明する。図３は携帯電話を示す斜視図、図４は携帯電話の機能ブロック図を示した図である。
携帯電話１００は、図３に示す如く、筐体１０１と、表示部１０２と、キーパッド１０３と、マイク１０４Ａおよびスピーカ１０４Ｂを有する通話部１０４（図４参照）と、バッテリ１０５とを備えている。
筐体１０１は、表面１０１Ａ、表面１０１Ａに対向する裏面１０１Ｂ、右側面１０１Ｃ、右側面１０１Ｃに対向する左側面１０１Ｄ、底面１０１Ｅ、底面１０１Ｅに対向する上面１０１Ｆを有している。
【００１７】
表示部１０２は筐体１０１の表面１０１Ａの上側に位置して設けられ、キーパッド１０３は表示部１０２の下側に位置して設けられている。音声入出力部１０４のマイク１０４Ａはキーパッド１０３の下側に位置して設けられ、スピーカ１０４Ｂは表示部１０２の上側に位置して設けられている。バッテリ１０５は裏面１０１Ｂ下側に着脱可能に配設されている。
また、右側面１０１Ｃの上部には、端末側受発光部１２１が設けられ、底面１０１Ｅには外部接続端子１０７（図２参照）が設けられている。なお、この携帯電話１００では、右側面１０１Ｃの上部に端末側受発光部１２１を設けるようにしたが、携帯電話の種類によっては、端末側受発光部１２１が表面１０１Ａを除いた面に設けられる。
【００１８】
携帯電話１００は、図４に示す如く、バス１１２を介して接続されたＭＰＵ１１３、ＲＡＭ１１４、ＲＯＭ１１５、表示装置１０２、キーパッド１０３、通話部１０４、無線通信回路１１５および赤外線通信回路１１６によって大略構成されている。ここで、無線通信回路１１５は、アンテナ１０６を介して基地局（図示せず）との間で無線通信を行うものである。また、赤外線通信回路１１６は、変調部および復調部等を備え、端末側受発光部１２１を介して外部装置１０００との間で赤外線通信を行うものである。
また、ＲＯＭ１１５には、通話或いは電子メール等を行うためのプログラムが格納される他に、赤外線通信を行うためのプログラム、さらに本実施形態ではカーナビゲーション装置２００からの指令により情報配信サーバ１０１０から地図データを読み出すプログラム等が格納されている。
ＭＰＵ１１３は、キーパッド１０３から入力される制御信号を受けて、ＲＯＭ１１５から指定の制御プログラムを読出し、そのプログラムに基づいた動作を行うために、各部を制御する。
例えば、本実施形態に用いられる携帯電話１００は、ユーザがキーパッド１０３で所定の操作を行うことにより、端末側赤外線１２１から赤外線を照射すると共に、外部からの赤外線を受光する赤外線通信モードになる。この赤外線通信モードにある携帯電話１００は、赤外線通信で接続された外部装置（カーナビゲーション装置）からの指令を受けて情報配信サーバ１０１０との間で無線通信が行われる。
【００１９】
〈Ａ−３〉受発光部の概略構成
次に、受発光部の構成について簡単に説明する。
ここでは、端末側受発光部１２１は、装置側受発光部３１の構成とほぼ同一の構成であるので、装置側受発光部３１のみを説明する。
装置側受発光部３１は、図５に示すように、発光部３２、受光部３３およびレンズ機能を有する窓部３４を備えている。この装置側受発光部３１は、外部から見て窓部３４、発光部３２、受光部３３の順に積層した上で樹脂モールドによって一体化されたものである。
発光部３２は、赤外線発光ダイオード素子を内蔵しており、例えば約±２０°の照射角で第１の所定方向に向けて赤外線を照射する。即ち、照射角は、赤外線の強度がピーク値となる光軸の両側へ約２０°ずつ計約４０°となる。受光部３３は、フォトダイオード素子を内蔵しており、発光部３２の約３倍（約±６０°）の受光角（第２の所定方向）を有する。
これにより、装置側受発光部３１は、受光角を照射角よりも広く取ることにより、広い範囲からの赤外線が受光可能となる。
【００２０】
〈Ａ−４〉搬送機構１１
〈Ａ−４−１〉搬送機構１１の構成
次に、中継装置１の説明に戻って、この中継装置１の搬送機構１１について,図６ないし図８を参照しつつ説明する。
図６は搬送機構の構成を示した斜視図である。図７は携帯電話を搬送ローダで保持した状態を示す図である。図８は搬送機構の動作を説明するための図である。
搬送機構１１は、図６に示すように、ほぼ平行に配置された４つの搬送ローラ１２Ａ，１２Ｂ，１２Ｃ，１２Ｄと、これらのローラ１２Ａ〜１２Ｄを支持する軸１３Ａ，１３Ｂ，１３Ｃ，１３Ｄと、軸１３Ａ〜１３Ｄの上および下において、各軸間にそれぞれ設けられた付勢バネ１４と、携帯電話１００の挿入を助けるガイド板１５とを備えている。
【００２１】
ここで、軸１３Ａ〜１３Ｄは、筐体３内に固定された支持部（図示せず）に軸支されている。挿入口２側（前側）に位置した軸１３Ａ，１３Ｂは、駆動モータ１６（図１１、参照）によって矢示ａ，ｂ方向に正，逆回転される。例えば、搬送ローラ駆動モータ１６を正転させたときには、軸１３Ａ，１３Ｂが挿入方向Ａに回転し、反転させたときには軸１３Ａ、１３Ｂが矢示ｂ方向に回転する。奥側に位置した軸１３Ｃ，１３Ｄは、支持部に回転可能に軸支されている。
また、支持部は、その構造によって、軸１３Ａ，１３Ｂを矢示ｃ方向（挿入方向Ａに直交する方向）に移動可能に支持し、軸１３Ｃ，１３Ｄを矢示ｃ方向および矢示ｄ方向（挿入方向Ａに平行な方向）に移動可能に支持する。さらに、支持部には、軸１３Ａ，１３Ｂの矢示ｃ方向の動きを検出するローラ位置検出センサ１７（図１１、参照）が設けられている。
【００２２】
搬送ローラ１２Ａ〜１２Ｄは、ゴム或いはスポンジ等の弾性係数が高く且つ摩擦力の高い材料によって形成され、搬送される携帯電話１００の接触する部分を傷付けるのを防止する。また、搬送ローラ１２Ａ〜１２Ｄは、図７に示すように、携帯電話１００によって潰されることにより、付勢バネ１４と共に携帯電話１００の幅寸法に対応させて携帯電話１００を保持する。
【００２３】
付勢バネ１４は、弱いバネ力をもって軸１３Ａ，１３Ｂ，１３Ｃ，１３Ｄをそれぞれ引っ張るものであり、携帯電話１００の搬送時の付勢バネ１４に伴う動きについては、後述する動作の部分で説明する。
【００２４】
ガイド板１５には、前側に位置した搬送ローラ１２Ａ，１２Ｂの部分と、奥側に位置した搬送ローラ１２Ｃ，１２Ｄの部分に凹部１５Ａが形成されている。これらの凹部１５Ａは、携帯電話１００を支持していない状態において、付勢バネ１４によって近づく搬送ローラ１２Ａ〜１２Ｄが当接する。これにより、各搬送ローラ（軸）が近づくのを規制し、搬送ローラ１２Ａ〜１２Ｄ間に所定寸法を確保する。
【００２５】
〈Ａ−４−２〉搬送機構１１の動作
次に、搬送機構１１による携帯電話１００の搬送動作について、図８を参照しつつ説明する。
まず、ユーザが筐体３表面の挿入スイッチ４を押圧することにより、搬送ローラ駆動モータ１６が駆動されて前側の搬送ローラ１２Ａ，１２Ｂが矢示ａ方向に回転する。この際、搬送ローラ１２Ａ，１２Ｂは付勢バネ１４によって引っ張られた状態となっている。
【００２６】
そこに、図８（ａ）に示すように、ユーザが挿入口２から携帯電話１００の上面１０１Ｆを挿入方向Ａに挿入すると、扉２Ａが開いて携帯電話１００の上面１０１Ｆが前側の搬送ローラ１２Ａ、１２Ｂに接触する。携帯電話１００の幅寸法が搬送ローラ１２Ａ，１２Ｂの離間寸法よりも広いため、回転している搬送ローラ１２Ａ，１２Ｂは、付勢バネ１４のバネ力に抗して矢示ｃ１方向に移動する。この結果、搬送ローラ１２Ａ、１２Ｂの回転に伴い、携帯電話１００がガイド板１５上を挿入方向Ａに移動される。
【００２７】
次に、図８（ｂ）に示すように、携帯電話１００の上面１０１Ｆが奥側の搬送ローラ１２Ｃ，１２Ｄに達すると、ここでも携帯電話１００の幅寸法が搬送ローラ１２Ｃ，１２Ｄの離間寸法よりも広いため、搬送ローラ１２Ｃ，１２Ｄは、付勢バネ１４のバネ力に抗して矢示ｃ１方向に移動を始める。
【００２８】
図８（ｃ）に示すように、搬送ローラ１２Ａ，１２Ｂによって携帯電話１００がさらに押し込まれると、搬送ローラ１２Ｃ，１２Ｄが携帯電話１００の上面１０１Ｆから側面１０１Ｃ，１０１Ｄに接触することにより、矢示ａ方向に回転しつつ付勢バネ１４に抗して矢示ｄ１方向に移動する。
【００２９】
そして、携帯電話１００の側面１０１Ｃ，１０１Ｄに搬送ローラ１２Ａ，１２Ｂが回転しつつ接触させることにより、携帯電話１００が奥側に搬送され、携帯電話１００の底面１０１Ｅに搬送ローラ１２Ａ，１２Ｂが掛かると、図８（ｄ）に示すように、搬送ローラ１２Ａ，１２Ｂは付勢バネ１４によって矢示ｃ２方向に移動する。この際、ローラ位置検出センサ１７はこの動きを検知し、このセンサ１７からの位置検出信号を受けて、後述する制御部４１が搬送ローラ駆動モータ１６を停止させる。
これにより、携帯電話１００が搬送機構１１の搬送ローラ１２Ａ〜１２Ｄによって支持される。
【００３０】
一方、携帯電話１００を取出す場合には、ユーザが筐体３表面の取出しスイッチ５を押圧することにより、前述した動作と逆に、搬送ローラ１２Ａ，１２Ｂを矢示ｂ方向（図６、参照）に回転させることにより、図８（ｄ）、図８（ｃ）、図８（ｂ）、図８（ａ）の順に携帯電話１００を移動させ、ローラ位置検出センサ１７によって搬送ローラ１２Ａ，１２Ｂが矢示ｃ２方向に移動したことを検知した場合に、搬送ローラ１２Ａ，１２Ｂの回転を停止させる。これにより、携帯電話１００を容易に取出すことが可能となる。
なお、奥側に位置した搬送ローラ１２Ｃ，１２Ｄは、前側の搬送ローラ１２Ａ，１２Ｂのように、携帯電話１００を搬入するものではないため、ローラで形成されずに、携帯電話１００の長さ方向の違いを吸収するストッパ等であってもよい。
【００３１】
〈Ａ−５〉装置側受発光部移動機構２１（以下、移動機構２１という）
第１実施形態では、筐体３内の搬送機構１１に支持された携帯電話１００の各面に沿って各装置側受発光部３１を移動させることにより、端末側受発光部１２１の位置、即ち端末側受発光部１２１と装置側受発光部３１との間で光通信が可能となる位置を探索する。
このため、図９に示すように、携帯電話１００を構成する面のうち、端末側受発光部１２１が備えられるであろう面、即ち２つの側面１０１Ｃ，１０１Ｄ、裏面１０１Ｂ、上面１０１Ｆの４つの面に対応させて装置側受発光部３１が４個設けられ、この装置側受発光部３１を移動させる移動機構２１がそれぞれ筐体３内に４基設けられる。なお、この携帯電話１００では、底面１０１Ｅには端末側受発光部１２１が設けられていないものとする。
携帯電話１００の側面１０１Ｃ，１０１Ｄおよび上面１０１Ｆ上を探索する装置側受発光部３１は一方向に対してのみ移動可能となり、裏面１０１Ｂ上を探索する装置側受発光部３１は裏面１０１ＣＢに平行な面で直交する２方向に対して移動可能となる。また、装置側受発光部３１の位置は、図示しない受発光部位置検出センサ１８によって検出される。
【００３２】
次に、移動機構２１の構成について、図１０を参照しつつ説明するに、図１０（ａ）は裏面１０１Ｂ上を探索する移動機構２１の平面図、図１０（ｂ）は図１０（ａ）中の矢印Ｂ−Ｂ方向から見た断面図、図１０（ｃ）は図１０（ａ）中の矢印Ｃ−Ｃ方向から見た断面図である。
【００３３】
移動機構２１は、筐体３内に固定された枠体２２と、第１スライダ２３と、第１スライダ２３を移動させる第１モータ２４と、第２スライダ２５と、第２スライダ２５を移動させる第２モータ２６と、を具備して構成されている。
枠体２２は、図１０（ａ）の紙面上下方向に延びる支柱２２Ａ、２２Ａと、各支柱２２Ａの上下部で固定された紙面左右方向に延びる円柱状の支持棒２２Ｂ、２２Ｂとを具備している。
【００３４】
第１スライダ２３は、支柱２３Ａと、この支柱２３Ａの両側に固定された移動部２３Ｂ，２３Ｂと、枠体２２の支柱２２Ａ，２２Ａ間に跨いで設けられ、一方の支柱２２Ａに固定された第１モータ２４の回転軸（図示せず）に連結される第１雄ねじ２３Ｃとを備えている。
各移動部２３Ｂには各支持棒２２Ｂが遊嵌される挿通孔２３Ｄと、後述する第２雄ねじ２５Ｂが遊嵌される挿通孔２３Ｅとが、それぞれ直交した状態で穿設され、一方の移動部２３Ａには雄ねじ２３Ｃが螺合される第１雌ねじ２３Ｆが挿通孔２３Ｄに平行に穿設される。
【００３５】
このように構成される第１スライダ２３は、第１モータ２４を回転させることにより、回転された第１雄ねじ２３Ｃが第１雌ねじ２３Ｆにねじ込まれる。この結果、例えば第１モータ２４により第１雄ねじ２３Ｃを時計方向に回転させると第１スライダ２３および第２スライダ２５がＸ軸の正方向側に移動され、反時計方向に回転させると第１スライダ２３および第２スライダ２５がＸ軸の負方向側に移動されることになる。
【００３６】
第２スライダ２５は、装置側受発光部３１が設けられた移動部２５Ａと、移動部２３Ｂ，２３Ｂ間に跨いで設けられ、一方の移動部２３Ｂに固定された第２モータ２６の回転軸（図示せず）に連結される第２雄ねじ２５Ｂとを備える。
移動部２５Ａには支柱２３Ａが遊嵌される挿通孔２５Ｃと、第２雄ねじ２５Ｂが螺合される第２雌ねじ２５Ｄが挿通孔２５Ｃに平行に穿設される。
【００３７】
このように構成される第２スライダ２５は、第２モータ２６を回転させることにより、回転された第２雄ねじ２５Ｂが第２雌ねじ２５Ｄにねじ込まれる。この結果、例えば第２モータ２６により第２雄ねじ２５Ｂを時計方向に回転させると第２スライダ２５がＹ軸の正方向に移動され、反時計方向に回転させると第２スライダ２５がＹ軸の負方向に移動される。
【００３８】
この移動機構２１にあっては、装置側受発光部３１を直交するＸ軸，Ｙ軸方向に対して移動させることを可能なＸ・Ｙステージとして構成されることになる。
【００３９】
なお、他の側面１０１Ｃ，１０１Ｄおよび上面１０１Ｆ上を探索する移動機構は、一つの軸方向にのみ装置側受発光部を移動させる構造となるため、第２スライダ２５のみの構造とすればよいために、その説明を省略するものとする。
また、雄ねじと雌ねじと螺号する部分は、その摩擦をさらに低減するために、雄ねじと雌ねじとの間にボールを入れたボールネジで構成してもよい。
【００４０】
〈Ａ−６〉中継装置１の動作
次に、携帯電話１００を収容して赤外線通信を実行するまでの中継装置１の動作について説明する。
【００４１】
まず、中継装置１の構成を、図１１に示す制御系の機能ブロック図に基づいて説明する。
中継装置１は、制御部４１と、制御部４１の入力側に接続されるスイッチ４，５、ローラ位置検出センサ１７および受発光部位置検出センサ１８と、制御部４１の出力側に接続される報知部６、受発光部駆動回路４２、搬送ローラ駆動回路４３および移動機構駆動回路４４と、を備えている。
制御部４１は、ＭＰＵ、ＲＡＭおよびＲＯＭ（いずれも図示せず）を備えている。ＭＰＵは、ＲＯＭに格納されたプログラムに基づいて各部を制御する。
【００４２】
次に、図１２のフローチャートに基づき、中継装置１の処理について説明する。
この処理は、ユーザが挿入スイッチ４を押圧することにより開始される。
制御部４１は、挿入スイッチ４の信号がトリガとなって、搬送ローラ駆動回路４３に駆動信号を送信し、搬送ローラ駆動回路４３はこの駆動信号を受けて搬送ローラ駆動モータ１６を駆動させる。これにより、前側に位置した搬送ローラ１２Ａ，１２Ｂが矢示ａ方向に回転を開始する（ステップＳａ１）。制御部４１は、ローラ位置検出センサ１７から位置検出信号が送信されるのを待機する（ステップＳａ２）。
一方、ユーザは、携帯電話１００のキーパッド１０３を所定操作することにより、携帯電話１００を赤外線通信モードに設定する。この赤外線通信モードにある携帯電話１００は、アクセス要求信号に対応した赤外線を端末側受発光部１２１から照射する。そして、ユーザが、この状態のまま、挿入口２から携帯電話１００を挿入する。
ユーザによって挿入口２から挿入された携帯電話１００は、回転する搬送ローラ１２Ａ、１２Ｂにより中継装置１内に自動的に搬送される。その後、前述した如く、携帯電話１００が搬送機構１１の搬送ローラ１２Ａ〜１２Ｄによって保持されると、ローラ位置検出センサ１７からは位置検出信号が制御部４１に送信される。
そして、制御部４１は、位置検出信号を受けて（ステップＳａ２；ＹＥＳ）、搬送ローラ駆動回路４３に供給する駆動信号を停止し、搬送ローラ１２Ａ，１２Ｂを停止させる（ステップＳａ３）。
【００４３】
その後、制御部４１は、受発光部駆動回路４２を介して装置側受発光部３１の発光部３２からアクセス要求信号に対応した赤外線を照射する（ステップＳａ４）。
この際、右側面１０１Ｃ、左側面１０１Ｄ、裏面１０１Ｂ、上面１０１Ｆに対応した装置側受発光部３１が順に駆動される。例えば、右側面１０１Ｃ→左側面１０１Ｄ→裏面１０１Ｂ→上面１０１Ｆの順に端末側受発光部１２１の探索を行う場合には、その面に対応した装置側受発光部３１の発光部３２からアクセス要求信号に対応した赤外線を照射する。
【００４４】
次に、制御部４１は、移動機構駆動回路４４に駆動信号を送信し、移動機構駆動回路４４はこの駆動信号を受けて移動機構駆動モータ２４（２６）を駆動させ、移動機構２１が赤外線を照射した装置側受発光部３１の移動を開始させる（ステップＳａ５）。これにより、図９に示すように、装置側受発光部３１が、側面１０１Ｃ，１０１Ｄ、裏面１０１Ｂおよび上面１０１Ｆに沿って移動される。
制御部４１は、アクセス要求信号に対応した赤外線が装置側受発光部３１の受光部３３で受光されるのを待機する（ステップＳａ６）。
【００４５】
そして、移動機構２１は、装置側受発光部３１を側面１０１Ｃ，１０１Ｄ、裏面１０１Ｂおよび上面１０１Ｆに沿って順次移動させることにより、装置側受発光部３１が端末側受発光部３１と対向する位置となった場合には、装置側受発光部３１の受光部３３で端末側受発光部１２１からの赤外線が受光されることになる（ステップＳａ６；ＹＥＳ）。この際、制御部４１は、装置側受発光部３１が端末側受発光１２１と対向する位置にあるとして、移動機構駆動回路４４への駆動信号を停止して移動機構２１を停止させる。この場合、端末側受発光部１２１の受光部においても、装置側受発光部３１からの赤外線を受光することになり、互いに相手側からの赤外線を受光したことになる。
次に、制御部４１は、装置側受発光部３１を端末側受発光部１２１の対向する位置に配置させ、赤外線による通信を開始する（ステップＳａ８）。これにより、当該中継装置１を介して携帯電話１００とカーナビゲーション装置２００との間にリンクが張られる。
【００４６】
本実施形態の場合には、カーナビゲーション装置２００が携帯電話１００を使って情報配信サーバ１０１０にアクセスし、この情報配信サーバ１０１０から所望の地図データ等を受信する。これにより、カーナビゲーション装置２００のメモリには、新しい地図データが格納されることになる。
【００４７】
また、制御部４１は、受発光部位置検出センサ１８によって検出された装置側受発光部３１の特定位置を記憶し、次回中継装置１に携帯電話１００が挿入された場合に、この記憶された位置に装置側受発光部３１を移動機構２１によって移動させてもよい。
【００４８】
〈Ａ−７〉第１実施形態の効果
本実施形態による中継装置１では、ユーザが携帯電話１００を挿入口２から挿入することにより、自動的に携帯電話１００が搬送機構１１によって筐体３内に収容され、その後端末側受発光部１２１に対して装置側受発光部３１を対向配置させることができる。
【００４９】
また、中継装置１は、搬送機構１１を構成する搬送ローラの材質および付勢バネ１４により、種々の携帯電話の形状に対応させるようにし、各移動機構によって携帯電話の複数の面を探索するようにしている。これにより、携帯電話の形状および端末側受発光部の位置に拘わらず、端末側受発光部に対して装置側受発光部を対向配置させることが可能となる。
【００５０】
さらに、各発光部を対向配置させた状態で、赤外線通信を行うことにより、携帯電話１００とカーナビゲーション装置２００との間を、中継装置１を介してリンクを張る。これにより、カーナビゲーション装置２００は、携帯電話１００を介して接続される情報配信サーバ１０１０から地図データを受信する。
【００５１】
さらに、搬送機構１１および移動機構２１は、機械的な構造であるため、携帯電話１００および装置側受発光部３１を強固に固定することができる。例えば、中継装置１を、カーナビゲーションに接続した場合には、自動車の振動によって各受発光部の対向位置がずれるのを防止することができる。
しかも、中継装置１は、携帯電話１００を搬送機構１２によって強固に固定されているため、自動車の振動等によって各受発光部の位置がずれるのを防止でき、信頼性の高い中継装置を実現することができる。
【００５２】
なお、この実施形態では、携帯電話１００の端末側受発光部が底面１０１Ｅにないものとして述べたが、底面１０１Ｅに受発光部がある場合には、ユーザが底面１０１Ｅを挿入側として挿入口２から挿入すればよい。
【００５３】
［Ｂ．第２実施形態］
次に、本発明による第２実施形態に係る光通信用中継装置について説明する。本実施形態の特徴は、携帯電話１００を搬送機構１１で保持した状態で回転可能とした点にある。なお、本実施形態では、前述した第１実施形態と同一の構成要素に同一の符号を付し、その説明を省略するものとする。
【００５４】
〈Ｂ−１〉第２実施形態の構成
図１３は携帯電話１００に対して装置側受発光部３１の探索状態を示した図で、図１４は携帯電話１００を回転させるための回転機構を示した図、図１５は制御系の機能ブロック図を示した図である。
回転機構５１は、図１５に示すように、搬送機構１１を支持する回転部材５２と、両端が筐体３に回転可能に支持され、周囲で回転部材５２を支持する４本の回転ローラ５３と、１つの回転ローラ５３を回転駆動させる回転機構駆動モータ５４と、を具備して構成されている。
回転部材５２は、両側に位置した環状部５２Ａと、環状部５２Ａを所定間隔毎に連結する連結部５２Ｂとを備え、各環状部５２Ａおよび各連結部５２Ｂの隙間を介して装置側受発光部３１に対して携帯電話１００が臨むようになる。
このように構成される回転部材５１にあっては、図示しない制御部によって駆動モータ５４が制御され、携帯電話１００を回転軸０−０に対して９０°ずつ回転させる。
【００５５】
〈Ｂ−２〉第２実施形態の動作
本実施形態による中継装置は、制御部６１と、制御部６１の入力側に接続されるスイッチ４，５、ローラ位置検出センサ１７および受発光部位置検出センサ１８と、制御部４１の出力側に接続される報知部６、受発光部駆動回路４２、搬送ローラ駆動回路４３、移動機構駆動回路４４および回転機構駆動回路６２と、を備えている。
このように構成される本実施形態による中継装置にあっては、制御部６１が、回転機構５１により規定された携帯電話１００の面を装置側受発光部３１を有する移動機構に順次対向させ、その都度、移動機構によって携帯電話１００の面を装置側受発光部３１で探索させる。これにより、制御部６１は、装置側受発光部３１が端末側受発光部１２１と対向した場合には、移動機構の動きを停止させ、装置側受発光部３１と端末側受発光部１２１との対抗関係を保持する。
【００５６】
〈Ｂ−３〉第２実施形態の効果
本実施形態による中継装置においても、第１実施形態と同様、自動的に装置側受発光部３１を端末側受発光部１２１に対向配置させることができる。これにより、携帯電話１００とカーナビゲーション装置２００とを接続する。
また、移動機構１２は第１実施形態のように４個配置する必要がなく、挿入方向Ａの測面と、携帯電話１００の上面、即ち挿入方向の先端面とを探索する移動機構の２個のみで済む。
【００５７】
［Ｃ．第３実施形態］
次に、本発明による第３実施形態に係る光通信用中継装置について説明する。本実施形態の特徴は、搬送機構１１において、携帯電話１００を挿入方向Ａに順次移動させ、その都度、挿入方向Ａに直交する面において固定的に配置された複数の装置側受発光部を順次駆動させ、端末側受発光部１２１を探索する点にある。なお、本実施形態では、前述した第１実施形態と同一の構成要素に同一の符号を付し、その説明を省略するものとする。
【００５８】
〈Ｃ−１〉第３実施形態の構成
図１６は、携帯電話１００に対して装置側受発光部３１Ａ，３１Ｂ，３１Ｃ，３１Ｄ，３１Ｅの探索状態を示した図である。装置側受発光部３１Ａ〜３１Ｅは、筐体３内の挿入口２近傍に配置されている。
本実施形態による中継装置の構成を、図１７の制御系の機能ブロック図を参照しつつ説明する。
中継装置は、制御部７１と、制御部７１の入力側に接続されるスイッチ４，５およびローラ位置検出センサ１７と、制御部６１の出力側に接続される報知部６、受発光部駆動回路４２Ａ〜４２Ｅおよび搬送ローラ駆動回路４３と、を備えている。
制御部７１は、ＭＰＵ、ＲＡＭおよびＲＯＭを備えている。ＭＰＵは、ＲＯＭに格納されたプログラムに基づいて各部を制御する。
【００５９】
本実施形態による制御部７１は、搬送機構１１によって携帯電話１００を所定寸法毎に搬送し、その都度受発光部駆動回路４２Ａ〜４２Ｅに駆動信号を順次送信する。受発光部駆動回路４２Ａ〜４２Ｅのうち、この駆動信号を受けた受発光部駆動回路は、この回路に対応した装置側受発光部からアクセス要求信号に対応した赤外線を照射する。これにより、装置側受発光部３１Ａ〜３１Ｅからは、例えば、装置側受発光部３１Ａ，３１Ｂ，３１Ｃ，３１Ｄ，３１Ｅの順に赤外線が照射される。
これにより、装置側受発光部３１Ａ〜３１Ｅの受光部、および端末側受発光部１２１の受光部で、互いの赤外線を受光した場合に、この装置側受発光部を端末側受発光部１２１に対向するものとして特定する。
【００６０】
〈Ｃ−２〉第３実施形態の効果
本実施形態による中継装置においても、第１実施形態と同様、自動的に端末側受発光部１２１に対向配置された装置側受発光部３１を特定することができ、携帯電話１００とカーナビゲーション装置２００とを赤外線通信によって接続する。
また、移動機構１２をなくすことにより、機械的な構造は搬送機構のみとなり、簡単な構造によって中継装置を実現することが可能となる。
【００６１】
［Ｅ．変形例］
以上、本発明に係る各実施形態について説明したが、上記実施形態は本発明の一例であり、本発明の趣旨の範囲内で任意に変形可能であり、以下のような変形例が考えられる。
【００６２】
〈Ｅ−１〉
前記第１実施形態では、携帯電話を搬送機構１１によって保持した状態で、複数の移動機構２１に設けた装置側受発光部３１を携帯電話１００の各面に沿って探索するようにし、第２実施形態では、携帯電話を搬送機構１１によって保持した状態で、携帯電話１００を回転機構５１によって９０度ずつ回転させ、回転機構５１によって決められた面を移動機構の装置側受発光部３１によって探索するようにした。しかし、本発明はこれに限らず、次のような構成であってもよい。
▲１▼１個の装置側受発光部３１を固定することにより、装置側受発光部３１から照射される赤外線の位置を固定し、携帯電話１００を移動させることにより、装置側受発光部３１からの赤外線を受ける携帯電話１００の部分を移動させるようにしてもよい。
▲２▼１個の装置側受発光部３１を固定し、回転機構５１および搬送機構１１を用いて、携帯電話１００を挿入方向Ａに所定寸法毎に挿入しつつ、その都度回転機構５１によって携帯電話１００を回転させ、装置側受発光部３１からの赤外線を受ける携帯電話１００の部分を移動させるようにしてもよい。
【００６３】
〈Ｅ−２〉
前記第３実施形態では、携帯電話１００を挿入方向Ａに所定寸法単位で挿入し、その都度、側面１０１Ｃ，１０１Ｄおよび裏面１０１Ｂを探索させるようにしたが、本発明はこれに限らず、次のような構成であってもよい。
▲１▼３個の装置側受発光部３１Ｂ，３１Ｃ，３１Ｄ（図１４、参照）を固定し、回転機構５１および搬送機構１１を用いて、携帯電話１００を挿入方向Ａに所定寸法単位で挿入しつつ、その都度回転機構５１によって装置側受発光部３１Ｂ〜３１Ｄに対向する面を規定する。そして、装置側受発光部３１Ｂ〜３１Ｄを順次駆動させることによって、端末側受発光部１２１に対向する位置を特定してもよい。
▲２▼装置側受発光部をアレイ状に配置し、装置側受発光部を順次駆動させることにより、端末側受発光部１２１に対向する位置を特定するようにしてもよい。
【００６４】
〈Ｅ−３〉
実施形態では、ストレート型の携帯電話を用いた場合を例示したが、折り畳み型の携帯電話に適用することも可能である。この折り畳み型の携帯電話を中継装置に挿入する場合には、折り畳んだ状態で挿入するため、ユーザが予め所定のキーパッド操作によって端末側受発光部から赤外線を照射させる必要がある。
【００６５】
〈Ｅ−４〉
前記各実施形態では、各受発光部で互いに相手側からの赤外線を受光した場合に、装置側受発光部の位置を特定するようにしたが、中継装置側において、駆動信号を受けて装置側受発光部の受光部のみを受光待ち状態とし、端末側受発光部からの赤外線を受光した段階で、装置側受発光部の発光部から赤外線を照射するようにしてもよい。
【００６６】
〈Ｅ−５〉
前記各実施形態では、モータ等によって各機構を駆動させるようにしたが、ユーザが手動操作によって行うようにしてもよい。この際には、報知部６のＬＥＤ６Ｒ、ＬＥＤ６Ｂを見ながら操作すればよい。
【００６７】
〈Ｅ−６〉
前記各実施形態では、搬送機構１２によって携帯電話１００を保持するようにしたが、本発明はこれに限らず、ロボットアームのように、先端で携帯電話を把持するよにしてもよく、要は、種々の携帯電話の大きさに拘わらず携帯電話を保持する構造であればよい。
【００６８】
〈Ｅ−７〉
また、携帯電話の面を装置側受発光部で探索させる場合には、予め端末側受発光部が備えられていない部分、即ちバッテリの部分等は除いて探索するようにしてもよい。
【００６９】
〈Ｅ−８〉
前記各実施形態では、光通信として赤外線を用いた赤外線通信を例に挙げて説明したが、これに限らず、通信に用いられる紫外線等の他の電磁波であってもよい。
【００７０】
〈Ｅ−９〉
前記実施形態では、携帯情報端末を携帯電話とした場合を例に挙げて説明したが、本発明はこれに限らず、ＰＤＡ等のように受発光部を備えたものであればよい。さらに、使用態様としてカーナビゲーション装置の地図データの受信に限らず、測位手段であるｄ−ＧＰＳ（Differential Global Positioning Systems）の情報を受信するカーナビゲーション装置、さらには自動車用のハンズフリーセット、パーソナルコンピュータ等の中継装置として用いることも可能である。
【００７１】
【発明の効果】
上述したように本発明による携帯電話中継装置は、携帯電話の形状および端末側受発光部の位置に拘わらず、装置側受発光部と端末側受発光部とを対向配置させることができる。
【図面の簡単な説明】
【図１】  実施形態に係る光通信用中継装置が組み込まれたカーナビゲーションシステムを示す全体構成図である。
【図２】  第１実施形態に係る光通信用中継装置および携帯電話を示す斜視図である。
【図３】  同実施形態に用いられる携帯電話の例を示す斜視図である。
【図４】  携帯電話の構成を示すブロック図である。
【図５】  受発光部による赤外線の照射領域および受光領域を示す図である。
【図６】  光通信用中継装置の搬送機構を示す斜視図である。
【図７】  搬送ローラによって携帯電話が保持された状態を示す図である。
【図８】  搬送機構によって形態電話が保持されるまでの動きを示す図である。
【図９】  第１実施形態に係る光通信用中継装置において、携帯電話に対する装置側受発光部の探索状態を示す図である。
【図１０】  光通信用中継装置の移動機構を示す図である。
【図１１】  光通信用中継装置の構成を示すブロック図である。
【図１２】  光通信用中継装置の動作を示す流れ図である。
【図１３】  第２実施形態に係る光通信用中継装置において、携帯電話に対する装置側受発光部の探索状態を示す図である。
【図１４】  同実施形態に用いられる回転機構を示す斜視図である。
【図１５】  同実施形態による光通信用中継装置の構成を示すブロック図である。
【図１６】  第３実施形態に係る光通信用中継装置において、携帯電話に対する装置側受発光部の探索状態を示す図である。
【図１７】  同実施形態による光通信用中継装置の構成を示すブロック図である。
【符号の説明】
１・・・中継装置（光通信用中継装置）
１１・・・搬送機構
１２Ａ、１２Ｂ、１２Ｃ、１２Ｄ・・・搬送ローラ
１４・・・付勢バネ
２１・・・移動機構（装置側受発光部移動機構）
３１、３１Ａ、３１Ｂ、３１Ｃ、３１Ｄ、３１Ｅ・・・装置側受発光部
３２・・・発光部
３３・・・受光部
５１・・・回転機構
４１、６１、７１・・・制御部
１００・・・携帯電話
１２１・・・端末側受発光部
【図１】
0003910804.tif 000002
【図２】
0003910804.tif 000003
【図３】
0003910804.tif 000004
【図４】
0003910804.tif 000005
【図５】
0003910804.tif 000006
【図６】
0003910804.tif 000007
【図７】
0003910804.tif 000008
【図８】
0003910804.tif 000009
【図９】
0003910804.tif 000010
【図１０】
0003910804.tif 000011
【図１１】
0003910804.tif 000012
【図１２】
0003910804.tif 000013
【図１３】
0003910804.tif 000014
【図１４】
0003910804.tif 000015
【図１５】
0003910804.tif 000016
【図１６】
0003910804.tif 000017
【図１７】
0003910804.tif 000018